(57)【要約】【課題】本発明の課題は、患者と撮影オーダ情報との対応付けを正確かつ容易に行うことにより、効率良く撮影を行うとともに医療過誤を防止することである。【解決手段】医用画像撮影システム１において、ＰＤＡ１０は、予め情報管理装置２０から撮影オーダ情報を取得して記憶装置１６の撮影オーダ情報ファイル１６１に格納し、撮影時に技師により、患者ＩＤが入力されると、患者ＩＤに対応する撮影オーダ情報を撮影オーダ情報ファイル１６１から取得して、表示部１３に表示させる。【選択図】          図１
2004147906.tif 000002
【特許請求の範囲】
【請求項１】
撮影対象となる患者の識別情報及び撮影に関する情報を含む撮影オーダ情報を受信する受信部と、
前記受信した撮影オーダ情報を記憶する記憶部と、
患者の識別情報を入力する入力部と、
前記入力された患者の識別情報に基づいて前記記憶部に記憶された撮影オーダ情報を取得して表示部に表示する表示制御手段と、
を備えることを特徴とする医用画像端末装置。
【請求項２】
前記表示制御手段は、患者の識別情報に基づいて取得された撮影オーダ情報が複数ある場合、当該複数の撮影オーダ情報を表示部に一覧表示することを特徴とする請求項１記載の医用画像端末装置。
【請求項３】
前記医用画像端末装置は、持ち運び可能な携帯型端末装置であることを特徴とする請求項１又は２に記載の医用画像端末装置。
【請求項４】
撮影対象となる患者の識別情報及び撮影に関する情報を含む撮影オーダ情報を管理する情報管理装置と、医用画像端末装置とがネットワークを介して接続された医用画像撮影システムであって、
情報管理装置は、前記撮影オーダ情報を送信する送信部を備え、
医用画像端末装置は、
前記撮影オーダ情報を受信する受信部と、
前記受信した撮影オーダ情報を記憶する記憶部と、
患者の識別情報を入力する入力部と、
前記入力された患者の識別情報に基づいて前記記憶部に記憶された撮影オーダ情報を取得して表示部に表示する表示制御手段と、
を備えることを特徴とする医用画像撮影システム。
【請求項５】
前記表示制御手段は、前記記憶部から患者の識別情報に基づいて取得された撮影オーダ情報が複数ある場合、当該複数の撮影オーダ情報を表示部に一覧表示することを特徴とする請求項４記載の医用画像撮影システム。
【請求項６】
前記医用画像端末装置は、持ち運び可能な携帯端末装置であることを特徴とする請求項４又は５に記載の医用画像撮影システム。
【請求項７】
撮影対象となる患者の識別情報及び撮影に関する情報を含む撮影オーダ情報を受信する工程と、
前記受信した撮影オーダ情報を記憶する工程と、
患者の識別情報を入力する工程と、
前記入力された患者の識別情報に基づいて前記記憶された撮影オーダ情報を取得して表示部に表示する工程と、
を含むことを特徴とする表示制御方法。
【請求項８】
前記患者の識別情報に基づいて取得された撮影オーダ情報が複数ある場合、当該複数の撮影オーダ情報を表示部に一覧表示する工程を含むことを特徴とする請求項７記載の表示制御方法。
【請求項９】
コンピュータに、
撮影対象となる患者の識別情報及び撮影に関する情報を含む撮影オーダ情報を受信する機能と、
前記受信した撮影オーダ情報を記憶する機能と、
患者の識別情報を入力する機能と、
前記入力された患者の識別情報に基づいて前記記憶された撮影オーダ情報を取得して表示部に表示する機能と、
を実現させるためのプログラム。
【発明の詳細な説明】
【０００１】
【発明の属する技術分野】
本発明は、医用画像撮影システムにおける医用画像端末装置、医用画像撮影システム、表示制御方法及びプログラムに関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等の医用画像撮影システムが利用されている。この医用画像撮影システムは、被験体である患者を撮影し、その撮影した医用画像をデジタル画像データとして取得するシステムである。
【０００３】
具体的には、医用画像撮影装置において、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００４】
このような医用画像撮影システムには、大きく分けて二つのシステム構成がとられる。一つは、画像の撮影及び読み取りを行う装置と、輝尽性蛍光体プレートとを撮影室に固定して設置し、撮影室にて撮影を行う医用画像撮影システムである。このシステムにおいては、撮影室にて撮影と同時に画像の読み取りを行うことができる。
【０００５】
もう一つは、骨折や脳血管疾患等の患者や集中治療室にて管理中の患者等、撮影室にて撮影が行えない患者の為に、回診用の移動可能な撮影装置と、蛍光体プレートを内蔵した持ち運び可能なカセッテとを利用して、回診先において撮影を行う医用画像撮影システムである。このシステムにおいては、撮影後にカセッテ専用の読取装置にカセッテを挿入し、撮影した画像の読み取りを行う。
【０００６】
上述した二つの医用画像撮影システムにおいて、撮影を行う場合、患者の取り違えを防止するため、技師は撮影対象となる患者の確認を行う。通常は技師が直接患者に声をかけて確認を行うが、移動可能な撮影装置により患者の病室等で撮影を行うような場合、患者と意思の疎通が図れない場合も多く、技師がベッドサイドにある名札や患者の腕に装着されるリストバンド等に記載される患者識別情報により、患者の確認を行っている（例えば、特許文献１参照）。
【０００７】
そして、技師が撮影を行う際には、オーダ用紙から撮影対象として確認した患者に対応する撮影オーダ情報を読み取り、撮影条件、撮影枚数等を確認後、撮影を行っていた。ここで、オーダ用紙には、医師から指示された撮影オーダ情報が印刷されており、撮影オーダ情報には、撮影する患者の氏名や性別等の患者に関する情報（以下、「患者情報」と記す）や、撮影部位や撮影方法等の撮影に関する情報（以下、「撮影情報」と記す）が含まれ、どの患者に対して、どのような撮影を行うかといった指示が示されている。
【０００８】
【特許文献１】
特開２００２−１２３６０７号公報
【０００９】
【発明が解決しようとする課題】
しかしながら、上述したような撮影方法では、オーダ用紙に印刷された撮影オーダ情報により撮影条件等の確認を行っているため、一患者に対して複数のオーダがある場合や撮影対象となる患者が複数いる場合、複数のオーダ用紙にそれぞれの撮影オーダ情報が記載され、患者と撮影オーダ情報の対応付けが煩雑となり、撮影オーダ情報の見落としや患者と撮影オーダ情報の取り違え等のミスが生じる場合があった。
【００１０】
撮影オーダ情報を見落としてしまった場合、撮影者は再度患者の元へ撮影機材一式を搬送して、患者の撮影を行わなければならず、非効率的であるとともに患者への負担が大きいという問題があった。また、患者と撮影オーダ情報が取り違えられた場合、医師は医用画像に基づいた正確な診断を下すことができず、診断精度を低下させてしまう場合があった。このため、撮影オーダ情報の取り扱いには正確性、安全性が要求されている。
【００１１】
本発明の課題は、患者と撮影オーダ情報との対応付けを正確かつ容易に行うことにより、効率良く撮影を行うとともに医療過誤を防止することができる医用画像端末装置、医用画像システム、表示制御方法及びプログラムを提供することである。
【００１２】
【課題を解決するための手段】
上記課題を解決するために、請求項１記載の発明は、
撮影対象となる患者の識別情報及び撮影に関する情報を含む撮影オーダ情報を受信する受信部と、
前記受信した撮影オーダ情報を記憶する記憶部と、
患者の識別情報を入力する入力部と、
前記入力された患者の識別情報に基づいて前記記憶部に記憶された撮影オーダ情報を取得して表示部に表示する表示制御手段と、
を備えることを特徴とする。
【００１３】
したがって、撮影者は、患者の識別情報を入力するだけで、患者に対応付けられた撮影オーダ情報を表示部に表示させることができる。これにより、撮影者は、例えば、印刷用紙に印刷された撮影オーダ情報と、患者の識別情報とを対応付ける手間を省いて、容易に患者の撮影オーダ情報を認識し、効率の良い撮影を行うことができる。また、撮影者による患者と撮影オーダ情報の取り違え等の人為的ミスを防止することができる。
【００１４】
請求項２記載の発明は、請求項１記載の医用画像端末装置において、
前記表示制御手段は、患者の識別情報に基づいて取得された撮影オーダ情報が複数ある場合、当該複数の撮影オーダ情報を表示部に一覧表示することを特徴とする。
【００１５】
したがって、一人の患者に対して複数の撮影オーダ情報がある場合、表示部に複数の撮影オーダ情報を一覧表示させるので、撮影者は、容易に複数の撮影を行う必要性を認識することができる。これにより、撮影オーダ情報の見落としを防いで、撮影者の作業負担や患者への過剰負担を軽減することができる。
【００１６】
請求項３記載の発明は、請求項１又は２に記載の医用画像端末装置において、前記医用画像端末装置は、持ち運び可能な携帯型端末装置であることを特徴とする。
【００１７】
したがって、例えば、回診先に移動して患者の撮影を行う場合、持ち運び可能な携帯型端末装置を所持していくだけで、回診先にて必要となる患者の撮影オーダ情報を取得することができる。
【００１８】
請求項４記載の発明は、
撮影対象となる患者の識別情報及び撮影に関する情報を含む撮影オーダ情報を管理する情報管理装置と、医用画像端末装置とがネットワークを介して接続された医用画像撮影システムであって、
情報管理装置は、前記撮影オーダ情報を送信する送信部を備え、
医用画像端末装置は、
前記撮影オーダ情報を受信する受信部と、
前記受信した撮影オーダ情報を記憶する記憶部と、
患者の識別情報を入力する入力部と、
前記入力された患者の識別情報に基づいて前記記憶部に記憶された撮影オーダ情報を取得して表示部に表示する表示制御手段と、
を備えることを特徴とする。
【００１９】
請求項５記載の発明は、請求項４記載の医用画像撮影システムにおいて、
前記表示制御手段は、前記記憶部から患者の識別情報に基づいて取得された撮影オーダ情報が複数ある場合、当該複数の撮影オーダ情報を表示部に一覧表示することを特徴とする。
【００２０】
請求項６記載の発明は、請求項４又は５に記載の医用画像撮影システムにおいて、
前記医用画像端末装置は、持ち運び可能な携帯端末装置であることを特徴とする。
【００２１】
請求項７記載の発明は、
撮影対象となる患者の識別情報及び撮影に関する情報を含む撮影オーダ情報を受信する工程と、
前記受信した撮影オーダ情報を記憶する工程と、
患者の識別情報を入力する工程と、
前記入力された患者の識別情報に基づいて前記記憶された撮影オーダ情報を取得して表示部に表示する工程と、
を含むことを特徴とする。
【００２２】
請求項８記載の発明は、請求項７記載の表示制御方法において、
前記患者の識別情報に基づいて取得された撮影オーダ情報が複数ある場合、当該複数の撮影オーダ情報を表示部に一覧表示する工程を含むことを特徴とする。
【００２３】
請求項９記載の発明は、
コンピュータに、
撮影対象となる患者の識別情報及び撮影に関する情報を含む撮影オーダ情報を受信する機能と、
前記受信した撮影オーダ情報を記憶する機能と、
患者の識別情報を入力する機能と、
前記入力された患者の識別情報に基づいて前記記憶された撮影オーダ情報を取得して表示部に表示する機能と、
を実現させるためのプログラムである。
【００２４】
【発明の実施の形態】
以下、図を参照して本発明の実施の形態を詳細に説明する。ただし、発明の範囲は、図示例に限定されない。なお、以下では、本発明に特徴的な医用画像端末装置が持ち運び可能な携帯情報端末（以下、「ＰＤＡ（Ｐｅｒｓｏｎａｌ  Ｄｉｇｉｔａｌ  Ａｓｓｉｓｔａｎｔ）」と記す）であり、医用画像撮影装置が移動可能な撮影装置であり、回診先にて撮影を行う医用画像撮影システムを例として説明を行う。
【００２５】
まず、本実施の形態の構成を説明する。
図１は、本発明に係る医用画像撮影システム１のシステム構成を示す概念図である。図１に示すように、医用画像撮影システム１は、ＰＤＡ１０、情報管理装置２０、医用画像撮影装置３０、カセッテ４０、カセッテ用の医用画像読取装置５０、制御装置６０等から構成されており、ＰＤＡ１０、情報管理装置２０及び制御装置６０は、ネットワークＮを介して接続されており、各装置は相互にアクセスが可能な構成となっている。
【００２６】
ＰＤＡ１０は、医用画像撮影装置３０を操作する技師等が携帯する携帯型情報端末装置であり、ネットワークＮを介して情報管理装置２０から撮影オーダ情報を受信して記憶し、記憶した撮影オーダ情報の中から患者ＩＤに対応する撮影オーダ情報を検索して表示する。
【００２７】
情報管理装置２０は、医師から指示された撮影オーダ情報を一括して管理する端末であり、ＰＤＡ１０からの要求指示に応じて、撮影オーダ情報を抽出し、ＰＤＡ１０に抽出した撮影オーダ情報を送信する。なお、他の情報管理装置として、撮影オーダ情報の予約受付を行う受付装置（図示せず）を適用しても良く、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の情報管理システムを適用することとしてもよい。
【００２８】
医用画像撮影装置３０は、移動可能な医用画像撮影装置であり、回診先において患者の撮影を行い、装置本体に着脱可能なカセッテ４０に医用画像を記録する。カセッテ４０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。
【００２９】
医用画像読取装置５０は、カセッテ４０に記録された医用画像を読み取る医用画像読取装置である。医用画像読取装置５０は、カセッテ４０の輝尽性蛍光体シートに励起光を照射し、これによりシートから発光される輝尽光を光電変換し、得られた画像信号をＡ／Ｄ変換して、医用画像を取得する。
【００３０】
制御装置６０は、医用画像読取装置５０の読み取り動作を制御する装置であり、画像管理のために情報管理装置３０から受信した撮影オーダ情報と、カセッテ４０から読み取った医用画像との対応付けを行い、医用画像を管理する。
【００３１】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００３２】
次に、本発明において主要な構成要素となる各装置について詳細に説明する。図２は、ＰＤＡ１０の機能的構成を示すブロック図である。図２に示すように、ＰＤＡ１０は、ＣＰＵ１１、操作部１２、表示部１３、通信制御部１４、ＲＡＭ１５、記憶装置１６、バーコードリーダ１７等から構成され、各部はバス１８により接続されている。
【００３３】
ＣＰＵ（Ｃｅｎｔｒａｌ  Ｐｒｏｃｅｓｓｉｎｇ  Ｕｎｉｔ）１１は、記憶部１６に格納されているシステムプログラム及び各種アプリケーションプログラムの中から指定されたプログラムをＲＡＭ１５に展開し、当該プログラムに従ってＰＤＡ１０の各部を集中制御する。
【００３４】
具体的にＣＰＵ１１は、記憶装置１６から撮影オーダ情報取得処理プログラム、撮影オーダ情報検索処理プログラムを読み出して、後述する撮影オーダ情報取得処理（図５参照）、撮影オーダ情報検索処理（図６参照）を実行する。
【００３５】
撮影オーダ情報取得処理を実行するに際して、ＣＰＵ１１は、技師（撮影者）により、操作部１２を介して撮影オーダ情報を要求する指示が入力されると、通信制御部１４を制御してネットワークＮに接続し、入力された要求指示を情報管理装置２０に送信する。また、ＣＰＵ１１は、通信制御部１４を制御して、情報管理装置２０から撮影オーダ情報を受信し、受信した撮影オーダ情報を後述する記憶装置１６の撮影オーダ情報ファイル１６１に格納する。
【００３６】
また、撮影オーダ情報検索処理を実行するに際して、ＣＰＵ１１は、操作部１２又はバーコードリーダ１７から患者の識別情報である患者ＩＤが入力されると、入力された患者ＩＤに対応する撮影オーダ情報を撮影オーダ情報登録ファイル１６１から検索する。入力された患者ＩＤに対応する撮影オーダ情報が撮影オーダ情報ファイル１６１に格納されている場合、当該撮影オーダ情報を取得して、表示部１３に表示させる。なお、患者ＩＤに対して複数の撮影オーダ情報が格納されている場合、複数の撮影オーダ情報を取得して、表示部１３に表示させる。また、入力された患者ＩＤに対応する撮影オーダ情報が撮影オーダ情報ファイル１６１に格納されていない場合、ＣＰＵ１１は、エラー処理を実行して、表示部１３にエラー画面を表示する。
【００３７】
操作部１２は、カーソルキー、数字キー及び各種機能キー等を備えて構成され、撮影者により操作された押下されたキーに対応する押下信号をＣＰＵ１１に出力する。例えば、操作部１２は、技師の操作により、患者の識別情報となる患者ＩＤを入力する。なお、操作部１２は、必要に応じてタッチパネル等のポインティングデバイスや、その他の入力装置を備えるものとしてもよい。
【００３８】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報、患者ＩＤ等の各種情報を表示する。
【００３９】
通信制御部１４は、撮影オーダ情報を受信する受信部の一例であり、ネットワークインターフェースカード、モデム又はターミナルアダプタ等により受信部及び送信部を構成し、ネットワークＮ上の外部機器との通信を制御する。例えば、通信制御部１４は、情報管理装置２０と無線通信を確立し、ネットワークＮを介して撮影オーダ情報の要求指示を送信するとともに、情報管理装置２０から撮影オーダ情報を受信する。なお、この場合、必要であればＰＨＳ等の携帯電話端末を利用して無線通信を確立する構成であってもよい。
【００４０】
ＲＡＭ（Ｒａｎｄｏｍ  Ａｃｃｅｓｓ  Ｍｅｍｏｒｙ）１５は、前述の指定されたアプリケーションプログラム、入力指示、入力データ及び処理結果等を格納するワークメモリエリアを有する。
【００４１】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００４２】
また、記憶装置１６は、撮影オーダ情報を記憶する記憶部の一例であり、情報管理装置２０から受信した撮影オーダ情報を格納するための撮影オーダ情報ファイル１６１を記憶している。図３を参照して撮影オーダ情報ファイル１６１について説明する。図３は、撮影オーダ情報ファイル１６１のデータ構成例を示す図である。図３に示すように、撮影オーダ情報ファイル１６１は、撮影オーダＩＤ、患者ＩＤ、氏名、性別、年齢、病室、依頼科、撮影部位、撮影枚数、カセッテＩＤを格納するための項目を有し、撮影オーダ情報毎に各項目に対応するデータを格納する。
【００４３】
撮影オーダＩＤの項目には、撮影を特定するために一義的に割り当てられた識別コード（例えば、２００２０１０１００１、２００２０１０１００２、２００２０１０１００３、…）が格納される。患者ＩＤの項目には、撮影を受ける患者を特定するために一義的に割り当てられた識別コード（例えば、１００００００２、１０００００５、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００４４】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納される。撮影装置の項目には、撮影に使用する撮影装置の機種を示す文字情報が格納され、枚数の項目には、撮影する枚数が数字情報により格納される。カセッテＩＤの項目には、撮影を行ったカセッテを特定するために一義的に割り当てられたカセッテＩＤ（例えば、バーコード等から読み取られる情報）が格納されるが、撮影前においてデータは格納されておらず、撮影時に技師により入力されたカセッテＩＤを格納する構成となっている。
【００４５】
また、撮影オーダ情報には、患者情報として患者ＩＤ、氏名、性別、年齢の他、例えば、担当医師名、感染症等を警告する警告情報、薬物アレルギーの有無、妊娠の有無、追加病歴、車椅子や担架等の特別な介護の必要性、臨床診断名、守秘事項等の各種患者情報が格納される構成であっても良い。また、撮影情報として撮影部位、撮影装置、枚数の他、例えば、撮影方法（単純撮影、造影撮影等）、撮影予定日等の各種撮影情報が格納される構成であっても良い。
【００４６】
バーコードリーダ１７は、患者ＩＤを入力するための入力部の一例であり、光学的な読み取り装置であるスキャナを有している。バーコードリーダ１７は、スキャナにてバーコードを読み取り、所定の規格に従ってデコードすることにより、バーコードが示す情報を取得する。例えば、バーコードリーダ１７は、患者のベッドサイド又は患者の身体の一部に付帯されたバーコードを読み取り、患者ＩＤを取得する。また、バーコードリーダ１７は、撮影を行う際に医用画像を記録するカセッテに付帯するバーコードからカセッテＩＤを取得する。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００４７】
図４は、情報管理装置２０の機能的構成を示すブロック図である。図４に示すように、情報管理装置２０は、ＣＰＵ２１、入力部２２、表示部２３、通信制御部２４、ＲＡＭ２５、記憶装置２６等を備えて構成され、各部はバス２７により接続されている。
【００４８】
ＣＰＵ２１は、記憶装置２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００４９】
具体的に、ＣＰＵ２１は、記憶装置２６から撮影オーダ情報送信処理プログラムを読み出して、後述する撮影オーダ情報送信処理（図６参照）を実行する。この撮影オーダ情報送信処理を実行するに際して、ＣＰＵ２１は、ネットワークＮを介してＰＤＡ１０から撮影オーダ情報を要求する指示を受信すると、例えば、病院内における撮影オーダ情報を一括して管理している撮影オーダ情報ＤＢ（図示せず）から撮影オーダ情報を抽出し、抽出した撮影オーダ情報を対応するＰＤＡ１０に送信する。ここで、撮影オーダ情報の抽出は、例えば、情報管理装置２０を操作するオペレータにより任意に選択され抽出されるか、或いは、予めＰＤＡ１０毎又は技師毎に撮影オーダ情報が割り振られ、要求指示に付帯して送信されるＰＤＡ１０又は技師に固有の識別情報に対応する撮影オーダ情報が抽出される構成であっても良い。
【００５０】
入力部２２は、カーソルキー、数字入力キー、及び各種機能キー等を備えたキーボードを含み、このキーボードで押下されたキーに対応する押下信号をＣＰＵ２１に出力する。なお、入力部２２は、必要に応じてマウス、タッチパネル等のポインティングデバイスや、その他の入力装置を備えることとしてもよい。
【００５１】
表示部２３は、ＬＣＤやＣＲＴ（Ｃａｔｈｏｄｅ  Ｒａｙ  Ｔｕｂｅ）等により構成され、ＣＰＵ２１から入力される表示信号の指示に従って、入力部２２からの入力指示やデータ等を表示する。
【００５２】
通信制御部２４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００５３】
ＲＡＭ２５は、ＣＰＵ１１により実行制御される各種処理において、記憶部装置２６から読み出されたＣＰＵ２１で実行可能なシステムプログラム、制御プログラム、入力若しくは出力データ、及びパラメータ等の一時的に記憶する記憶領域を形成する。
【００５４】
記憶装置２６は、ＨＤＤ（Ｈａｒｄ  Ｄｉｓｃ  Ｄｒｉｖｅ）や不揮発性の半導体メモリ等により構成され、ＣＰＵ２１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、読取可能なプログラムコードの形態で格納され、ＣＰＵ２１は、当該プログラムコードに従った動作を逐次実行する。
【００５５】
次に、本実施の形態の動作を説明する。
なお、後述するフローチャートに記述されている各機能を実現するためのプログラムはコンピュータが読み取り可能なプログラムコードの形態でＰＤＡ１０の記憶装置１６又は情報管理装置２０の記憶装置２６に格納されており、ＰＤＡ１０のＣＰＵ１１又は情報管理装置２０のＣＰＵ２１は、当該プログラムコードに従った動作を逐次実行する。
【００５６】
図５（ａ）は、ＰＤＡ１０のＣＰＵ１１により実行される撮影オーダ情報取得処理を示すフローチャートである。図５（ａ）に示すように、ＣＰＵ１１は、操作部１２を介して、技師により撮影オーダ情報を要求する指示が入力されると（ステップＳ１）、通信制御部１４を制御して、要求指示を情報管理装置２０に送信する（ステップＳ２）。
【００５７】
次いで、ＰＤＡ１０は、情報管理装置２０から撮影オーダ情報を受信し（ステップＳ３）、受信した撮影オーダ情報を記録装置１６の撮影オーダ情報ファイル１６１に格納し（ステップＳ４）、本撮影オーダ情報取得処理を終了する。
【００５８】
図５（ｂ）は、情報管理装置２０のＣＰＵ２１により実行される撮影オーダ情報送信処理を示すフローチャートである。図５（ｂ）に示すように、ＣＰＵ２１は、ネットワークＮを介してＰＤＡ１０から要求指示を受信すると（ステップＳ１１）、記憶装置２６から撮影オーダ情報を抽出する（ステップＳ１２）。そして、ＣＰＵ２１は、抽出した撮影オーダ情報を対応するＰＤＡ１０に送信し（ステップＳ２３）、本撮影オーダ情報送信処理を終了する。
【００５９】
図６は、ＰＤＡ１０のＣＰＵ２１により実行される撮影オーダ情報検索処理を示すフローチャートである。図６に示すように、ＣＰＵ１１は、操作部１２又はバーコードリーダ１７を介して患者ＩＤが入力されると（ステップＳ２１）、記憶装置１６に記憶されている撮影オーダ情報ファイル１６１を取得して、入力された患者ＩＤに対応する撮影オーダ情報を検索する（ステップＳ２２）。
【００６０】
ここで、撮影オーダ情報ファイル１６１に患者ＩＤに対応する撮影オーダ情報がある場合（ステップＳ２３；ＹＥＳ）、対応する撮影オーダ情報を取得して表示部１３に表示させ（ステップＳ２４）、本撮影オーダ情報検索処理を終了する。一方、撮影オーダ情報ファイル１６１に患者ＩＤに対応する撮影オーダ情報がない場合（ステップＳ２３；ＮＯ）、ＣＰＵ１１は、エラー処理を実行し、患者ＩＤに対応する撮影オーダ情報がない旨を警告するエラー画面を表示部１３に表示させて（ステップＳ２５）、本撮影オーダ情報検索処理を終了する。
【００６１】
次に、図７を参照して上述した撮影オーダ情報検索処理において表示部１３に表示される表示画面について説明する。図７（ａ）は、図６のステップＳ２４において表示される表示画面の一例を示す図である。図７（ａ）に示すように、表示画面の上段には、技師により入力された患者ＩＤに対応する患者情報が表示され、患者ＩＤ、氏名、性別年齢、病室等が目視にて確認可能な構成となっている。
【００６２】
また、患者情報の下段には、複数の撮影オーダ情報が一覧表示されており、撮影ＩＤ毎に、撮影部位、撮影装置、枚数、カセッテＩＤが表示される構成となっている。なお、技師の操作により、バーコードリーダ１７を介してカセッテ４０のカセッテＩＤが入力されると、カセッテＩＤの項目に入力されたデータが表示される。
【００６３】
また、図７（ｂ）は、図６のステップＳ２５において表示される表示画面の一例を示す図である。図７（ｂ）に示すように、入力された患者ＩＤに対応する撮影オーダ情報が撮影オーダ情報ファイル１６１に格納されていない場合、該当する撮影オーダ情報がない旨のメッセージを表示する。これにより、技師は、撮影対象となる患者の取り違えや、患者ＩＤの入力ミス等を未然に防止することができる。
【００６４】
以上のように、本実施の形態によれば、ＰＤＡ１０は、予め情報管理装置２０から撮影オーダ情報を取得して記憶装置１６の撮影オーダ情報ファイル１６１に格納し、撮影時に技師により、患者ＩＤが入力されると、患者ＩＤに対応する撮影オーダ情報を撮影オーダ情報ファイル１６１から取得して、表示部１３に表示させる。
【００６５】
これにより、技師は、撮影の際に持ち運びが容易なＰＤＡ１０を所持するだけで、回診先にて必要な撮影オーダ情報を速やかに入手することができるため、予め撮影オーダ情報をオーダ用紙に印刷する手間や、複数のオーダ用紙を必要書類として持って行く必要がない。これにより、オーダ用紙の所持忘れにより、撮影が行えない等のミスを防いで効率の良い撮影を行うことができる。
【００６６】
また、撮影時に技師は、ＰＤＡ１０に撮影対象となる患者の患者ＩＤを入力するだけで、対応する撮影オーダ情報がＰＤＡ１０の表示部１３に一覧表示されるため、撮影オーダ情報の取り扱いが容易になり、患者と撮影オーダ情報の取り違いを防止することができる。また、一人の患者に対して複数のオーダがあった場合に、撮影オーダ情報の見落としを防ぐことができる。これにより、一人の患者の複数の撮影を効率良く行うことができ、患者に対する負担を軽減することができる。
【００６７】
さらに、技師がＰＤＡ１０に患者ＩＤを入力する場合、操作部１２を介して手入力するか、バーコードリーダ１７にてバーコードを読み取ることにより、患者ＩＤを入力するかを選択して入力することができ、患者の状態や作業状況に応じて適宜入力方法を選択することができるため、利便性が良い。また、バーコードリーダ１７を介して患者ＩＤを入力することにより、入力ミスを防ぐことができ、患者と撮影オーダ情報の対応付けをより正確に行うことができる。
【００６８】
なお、上述した本実施の形態における記述は、本発明に係る好適な医用画像端末装置及び医用画像撮影システムの一例であり、これに限定されるものではない。
例えば、本実施の形態では、医用画像端末装置を携帯型のＰＤＡ１０に適用し、医用画像撮影装置３０が移動可能な撮影装置に適用し、回診先にて撮影を行う場合を例として説明を行ったが、例えば、医用画像端末装置が、一般的なパーソナルコンピュータ（ＰＣ）等で構成され、医用画像撮影装置３０は、撮影室に固定的に設けられる撮影装置であってもよい。また、ＰＤＡ１０は、携帯型通信端末であれば良く、例えば、携帯電話やノート型ＰＣ等であっても良い。
【００６９】
また、撮影オーダ情報に含まれる患者情報及び撮影情報の例示は一例であり、必要に応じて種々の情報が含まれる構成であってよい。例えば、患者の識別情報としては、複数の数値を組み合わせた患者ＩＤやそのバーコードを適用する構成として説明を行ったが、これに限らず患者の名前や誕生日等により患者を識別する方法や、患者の指紋、掌紋、声紋、顔、虹彩、或いはＩＤカード等により患者を識別する構成であっても良い。この場合、ＰＤＡ１０が備える入力部として、これらの各データを入力可能な構成とすることが好ましい。
【００７０】
さらに、これら複数の情報を組み合わせて患者の識別を行う構成であってもよく、これにより、患者と撮影オーダ情報との対応付けをより正確なものすることができる。
【００７１】
その他、本実施の形態における医用画像撮影システム１の各構成要素の細部構成、及び細部動作に関しては、本発明の趣旨を逸脱することのない範囲で適宜変更可能であることはもちろんである。
【００７２】
【発明の効果】
請求項１、４、７又は９に記載の発明によれば、患者の識別情報を入力するだけで、患者に対応付けられた撮影オーダ情報を表示部に表示させることができる。これにより、例えば、印刷用紙に印刷された撮影オーダ情報と、患者の識別情報とを対応付ける手間を省いて、撮影者は、容易に患者の撮影オーダ情報を認識して、効率の良い撮影を行うことができる。また、撮影者による患者と撮影オーダ情報の取り違え等の人為的ミスを防止することができる。
【００７３】
請求項２、５又は８に記載の発明によれば、一人の患者に対して複数の撮影オーダ情報がある場合、表示部に複数の撮影オーダ情報を一覧表示させることができるので、撮影者は、容易に複数の撮影を行う必要性を認識することができる。これにより、撮影オーダ情報の見落としを防いで、撮影者の作業負担や患者への過剰負担を軽減することができる。
【００７４】
請求項３又は６に記載の発明によれば、例えば、回診先に移動して患者の撮影を行う場合、持ち運び可能な携帯型端末装置を所持していくだけで、回診先にて必要となる患者の撮影オーダ情報を取得することができる。
【図面の簡単な説明】
【図１】本発明を適用した実施の形態における医用画像撮影システム１のシステム構成を示す概念図である。
【図２】図１に示すＰＤＡ１０の機能的構成を示すブロック図である。
【図３】図２の記憶装置１６に格納される撮影オーダ情報ファイル１６１のデータ構成例を示す図である。
【図４】図１に示す情報管理装置２０の機能的構成を示すブロック図である。
【図５】（ａ）図２のＣＰＵ１１により実行される撮影オーダ情報取得処理を示すフローチャートである。
（ｂ）図４のＣＰＵ２１により実行される撮影オーダ情報送信処理を示すフローチャートである。
【図６】図２のＣＰＵ１１により実行される撮影オーダ情報検索処理を示すフローチャートである。
【図７】（ａ）ＰＤＡ１０の表示部１３に表示される表示画面例を示す図である。
（ｂ）ＰＤＡ１０の表示部１３に表示される表示画面例を示す図である。
【符号の説明】
１    医用画像撮影システム
１０    ＰＤＡ
１１    ＣＰＵ
１２    操作部
１３    表示部
１４    通信制御部
１５    ＲＡＭ
１６    記憶装置
１７    バーコードリーダ
１８    バス
２０    情報管理装置
２１    ＣＰＵ
２２    入力部
２３    表示部
２４    通信制御部
２５    ＲＡＭ
２６    記憶装置
２７    バス
３０    医用画像撮影装置
４０    カセッテ
５０    医用画像読取装置
６０    制御装置
Ｎ      ネットワーク
【図１】
2004147906.tif 000003
【図２】
2004147906.tif 000004
【図３】
2004147906.tif 000005
【図４】
2004147906.tif 000006
【図５】
2004147906.tif 000007
【図６】
2004147906.tif 000008
【図７】
2004147906.tif 000009